(57)【要約】【課題】書類等の見開きページに対し、最初のページの選択保持からめくり返すまでの一連のページめくり動作を、共通の操作部品で迅速かつ確実に達成することができ、しかも構成が簡単にして低コストに製造することができる自動ページめくり装置およびこれを使用するベッド用読書スタンド装置を提供する。【解決手段】書物等を見開き状態で載置する載台と、この載台の一側端縁部において一対のブラケットを介して回転可能に保持される回転軸４２と、この回転軸４２に軸結合されたギヤと駆動モータとからなる回転駆動機構と、前記回転軸４２に軸支したピニオン４５に噛合して進退移動および旋回動作するラック杆４６と、前記ラック杆４６の先端部において引張線５１の作用によってめくりローラ５２を変位させてページめくり動作を行う紙葉把持機構５０と、前記引張線５１を巻き取って引っ張り操作を行う引張線巻取機構とから構成する。【選択図】　図４
2004066719.tif 000002
【特許請求の範囲】
【請求項１】
書物等を見開き状態で載置する載台と、この載台の一側端縁部において一対のブラケットを介して回転可能に保持される回転軸と、この回転軸に軸結合されたギヤと駆動モータとからなる回転駆動機構と、前記回転軸に軸支したピニオンに噛合して進退移動および旋回動作するラック杆と、前記ラック杆の先端部において引張線の作用によってめくりローラを変位させてページめくり動作を行う紙葉把持機構と、前記引張線を巻き取って引っ張り操作を行う引張線巻取機構とからなり、
前記ラック杆を書物等を見開き方向に沿って最大に前進位置させると共に、書物等の見開きを行うページ端部に紙葉把持機構を位置させ、次いで引張線巻取機構にる引張線の引っ張り操作によって紙葉把持機構によるページめくり動作を行い、さらに回転軸を回転駆動させて前記ラック杆をページめくり方向に後退移動させながら上方に旋回動作させることにより、紙葉把持機構に保持されためくりページが自然離脱してページめくり動作を完了するように構成したことを特徴とする自動ページめくり装置。
【請求項２】
前記紙葉把持機構は、逆Ｕ字状に形成したばね部材の一端を前記ラック杆の先端部に固定し、前記ばね部材の他端にめくりローラを回転可能に装着し、さらにこのめくりローラを装着したばね部材の他端に引張線の一端を結合し、この引張線を前記ばね部材の一端を貫通してその外方から引っ張ることにより、前記逆Ｕ字状に形成したばね部材を圧縮変形させて、前記めくりローラの当接した書物等の見開きページの一部を把持するように構成したことを特徴とする請求項１記載の自動ページめくり装置。
【請求項３】
前記引張線巻取機構は、引張線巻取りプーリとこの巻取りプーリを回転駆動する駆動モータとからなり、この駆動モータを前記回転軸の回転駆動機構としての駆動モータと共に、載台の一側縁部にに取付けたことを特徴とする請求項１記載の自動ページめくり装置。
【請求項４】
前記ラック杆と噛合するピニオンは、一端を前記回転軸に固定した渦巻きばねを介して前記回転軸に回転可能に装着し、前記回転駆動機構による回転軸の回転駆動と共に前記渦巻きばねを巻取りながら回転して、前記回転駆動機構の停止に際し前記渦巻きばねの反発弾力により前記ピニオンを逆回転させると共に、これと噛合するラック杆を元の位置に復帰操作するように構成したことを特徴とする請求項１記載の自動ページめくり装置。
【請求項５】
自動ページめくり装置を備えた載台の一側端部の中央に結合支持杆を設け、一方床部に対して垂直に起立するように設置した支柱を設けると共に、この支柱に対し上下に移動調整可能に水平支持杆を取付け、この水平支持杆に前記結合支持杆を載台回転駆動機構を介して軸回転可能に結合し、前記載台回転駆動機構により載台を水平状態に旋回変位させて自動ページめくり装置を作動させた後、前記載台回転駆動機構により載台を傾斜状態に旋回変位させて読書可能に構成したことを特徴とする請求項１ないし４のいずれかに記載の自動ページめくり装置を使用するベッド用読書スタンド装置。
【請求項６】
前記結合支持杆と平行する載台の対向する両側縁部に、書物等を見開き状態に保持するための押え旋回片をそれぞれ配設し、前記載台回転駆動機構により載台を上向きの水平状態に旋回変位させて自動ページめくり装置を作動させた後、前記載台回転駆動機構により載台を下向きの任意状態に旋回変位させて読書可能に構成したことを特徴とする請求項５記載のベッド用読書スタンド装置。
【請求項７】
前記支柱に対し上下に移動調整可能に取付けた水平支持杆は、前記支柱と平行に配置した送りねじに螺合し、前記送りねじの一端に軸結合されたギヤと駆動モータとからなる送りねじ回転駆動機構により、上下に移動調整し得るよう構成したことを特徴とする請求項５または６記載のベッド用読書スタンド装置。
【請求項８】
前記書物等を見開き状態に保持するための押え旋回片は、書物等の左右見開きの中心に対してそれぞれ対称的に配置され、ページめくり操作に同期させて、前記書物等の左右見開きの中心に対しそれぞれ見開き方向に対称的に旋回するように構成したことを特徴とする請求項６記載のベッド用読書スタンド装置。
【発明の詳細な説明】
【０００１】
【発明の属する技術分野】
本発明は、ベッド等に寝た状態において、書物等の閲読に際し簡単な操作により自動ページめくり操作を行うことができ、しかも簡単な構成にして低コストに製造することができる自動ページめくり装置およびこれを使用するベッド用読書スタンド装置に関するものである。
【０００２】
【従来の技術】
従来より、書物等のページめくり機構として、吸着パッドを使用したものや、めくりローラを使用したもの等が、種々提案されている。
【０００３】
しかるに、従来のページめくり機構は、書物等の表面の１枚目のページを選択する機構と、選択したページをめくり返す機構とが、それぞれ個別に構成されている。このため、この種のページめくり機構を組み込んだ書見台装置ないしは読書スタンド装置は、構成が複雑かつ大型化するばかりでなく、それぞれの動作およびその検出を行うためのアクチュエータやセンサ等の設置個数が増大し、これらの制御操作も複雑となり、装置全体の製造コストが著しく増大する。
【０００４】
例えば、従来のページめくり機構として、各種の大きさの書物等をほぼ垂直に立てた状態で、ページをめくることができるように構成したものが提案されている（特開平１１−１５７２５２号公報）。すなわち、この提案に係るページめくり機構は、書物等を見開き状態で設置するための“背板”と、前記背板の縦幅相当の長さを有する“めくりローラ”および“押さえローラ”と、前記背板の横幅中央の後方所定距離にある支点から背板の上下の縁を越えて背板前方へ伸び、背板裏面に固定した“揺動モータ”により駆動され、揃って左右に揺動する上下の“揺動腕”と、を備え、前記“めくりローラ”は上部および下部の“連結桿”に回転可能に軸支され、“押さえローラ”は“めくりローラ”と平行に前記“連結桿”に固定されて“めくりローラ”と共にローラ対を構成するものであって、構成が極めて複雑かつ大型化する難点がある。
【０００５】
しかも、前記従来のページめくり機構は、前記上下の“連結桿”のローラ対間隔の中点が、前記上下の“揺動腕”の先端に立設した軸を介して支持され、前記ローラ対が、上下の“揺動腕”のいずれか一方の先端に固定された“ローラ・モータ”により駆動されて、前記中点を通る軸の回りで一体に旋回可能であり、ローラ対が書物等の見開きページに接触して旋回を妨げられたとき、“めくりローラ”が前記“ローラ・モータ”により駆動されて、当該ページの紙葉をローラ対の間へ繰り込む方向に回転するようににして、ページめくり操作を行うものであり、このための制御方法ないし制御機構が極めて煩雑となる難点がある。
【０００６】
【発明が解決しようとする課題】
そこで、本発明者は、前述したような従来のページめくり機構の難点を全て解消すべく、鋭意工夫ないし試作を行った結果、書物等を見開き状態で載置する載台と、この載台の一側端縁部において一対のブラケットを介して回転可能に保持される回転軸と、この回転軸に軸結合されたギヤと駆動モータとからなる回転駆動機構と、前記回転軸に軸支したピニオンに噛合して進退移動および旋回動作するラック杆と、前記ラック杆の先端部において引張線の作用によってめくりローラを変位させてページめくり動作を行う紙葉把持機構と、前記引張線を巻き取って引っ張り操作を行う引張線巻取機構とを設け、前記ラック杆を書物等を見開き方向に沿って最大に前進位置させると共に、書物等の見開きを行うページ端部に紙葉把持機構を位置させ、次いで引張線巻取機構による引張線の引っ張り操作によって紙葉把持機構によるページめくり動作を行い、さらに回転軸を回転駆動させて前記ラック杆をページめくり方向に後退移動させながら上方に旋回動作させることにより、紙葉把持機構に保持されためくりページが自然離脱してページめくり動作を完了させることができる、自動ページめくり装置が得られることを突き止めた。
【０００７】
すなわち、この場合、前記紙葉把持機構は、逆Ｕ字状に形成したばね部材の一端を前記ラック杆の先端部に固定し、前記ばね部材の他端にめくりローラを回転可能に装着し、さらにこのめくりローラを装着したばね部材の他端に引張線の一端を結合し、この引張線を前記ばね部材の一端を貫通してその外方から引っ張ることにより、前記逆Ｕ字状に形成したばね部材を圧縮変形させて、前記めくりローラの当接した書物等の見開きページの一部を把持して、円滑な自動ぺーじめくり操作を達成できることを突き止めた。
【０００８】
また、前記構成からなる自動ページめくり装置を備えた載台の一側端部の中央に結合支持杆を設け、一方床部に対して垂直に起立するように設置した支柱を設けると共に、この支柱に対し上下に移動調整可能に水平支持杆を取付け、この水平支持杆に前記結合支持杆を載台回転駆動機構を介して軸回転可能に結合し、前記載台回転駆動機構により載台を水平状態に旋回変位させて自動ページめくり装置を作動させた後、前記載台回転駆動機構により載台を傾斜状態に旋回変位させて読書可能に構成することにより、簡便なベッド用読書スタンド装置を得ることができることを突き止めた。
【０００９】
従って、本発明の目的は、書類等の見開きページに対し、最初のページの選択保持からめくり返すまでの一連のページめくり動作を、共通の操作部品で迅速かつ確実に達成することができ、しかも構成が簡単にして低コストに製造することができる自動ページめくり装置およびこれを使用するベッド用読書スタンド装置を提供することにある。
【００１０】
【課題を解決するための手段】
前記の目的を達成するため、本発明に係る自動ページめくり装置は、書物等を見開き状態で載置する載台と、この載台の一側端縁部において一対のブラケットを介して回転可能に保持される回転軸と、この回転軸に軸結合されたギヤと駆動モータとからなる回転駆動機構と、前記回転軸に軸支したピニオンに噛合して進退移動および旋回動作するラック杆と、前記ラック杆の先端部において引張線の作用によってめくりローラを変位させてページめくり動作を行う紙葉把持機構と、前記引張線を巻き取って引っ張り操作を行う引張線巻取機構とからなり、
前記ラック杆を書物等を見開き方向に沿って最大に前進位置させると共に、書物等の見開きを行うページ端部に紙葉把持機構を位置させ、次いで引張線巻取機構による引張線の引っ張り操作によって紙葉把持機構によるページめくり動作を行い、さらに回転軸を回転駆動させて前記ラック杆をページめくり方向に後退移動させながら上方に旋回動作させることにより、紙葉把持機構に保持されためくりページが自然離脱してページめくり動作を完了するように構成したことを特徴とする。
【００１１】
この場合、前記紙葉把持機構は、逆Ｕ字状に形成したばね部材の一端を前記ラック杆の先端部に固定し、前記ばね部材の他端にめくりローラを回転可能に装着し、さらにこのめくりローラを装着したばね部材の他端に引張線の一端を結合し、この引張線を前記ばね部材の一端を貫通してその外方から引っ張ることにより、前記逆Ｕ字状に形成したばね部材を圧縮変形させて、前記めくりローラの当接した書物等の見開きページの一部を把持するように構成することができる。
【００１２】
また、前記引張線巻取機構は、引張線巻取りプーリとこの巻取りプーリを回転駆動する駆動モータとからなり、この駆動モータを前記回転軸の回転駆動機構としての駆動モータと共に、載台の一側縁部に取付けた構成とすることができる。
【００１３】
さらに、前記ラック杆と噛合するピニオンは、一端を前記回転軸に固定した渦巻きばねを介して前記回転軸に回転可能に装着し、前記回転駆動機構による回転軸の回転駆動と共に前記渦巻きばねを巻取りながら回転して、前記回転駆動機構の停止に際し前記渦巻きばねの反発弾力により前記ピニオンを逆回転させると共に、これと噛合するラック杆を元の位置に復帰操作するように構成することができる。
【００１４】
一方、本発明に係る前記自動ページめくり装置を使用するベッド用読書スタンド装置は、自動ページめくり装置を備えた載台の一側端部の中央に結合支持杆を設け、一方床部に対して垂直に起立するように設置した支柱を設けると共に、この支柱に対し上下に移動調整可能に水平支持杆を取付け、この水平支持杆に前記結合支持杆を載台回転駆動機構を介して軸回転可能に結合し、前記載台回転駆動機構により載台を水平状態に旋回変位させて自動ページめくり装置を作動させた後、前記載台回転駆動機構により載台を傾斜状態に旋回変位させて読書可能に構成したことを特徴とする。
【００１５】
また、前記読書スタンド装置において、前記結合支持杆と平行する載台の対向する両側縁部に、書物等を見開き状態に保持するための押え旋回片をそれぞれ配設し、前記載台回転駆動機構により載台を上向きの水平状態に旋回変位させて自動ページめくり装置を作動させた後、前記載台回転駆動機構により載台を下向きの任意状態に旋回変位させて読書可能に構成することができる。
【００１６】
この場合、前記支柱に対し上下に移動調整可能に取付けた水平支持杆は、前記支柱と平行に配置した送りねじに螺合し、前記送りねじの一端に軸結合されたギヤと駆動モータとからなる送りねじ回転駆動機構により、上下に移動調整し得るよう構成することができる。
【００１７】
さらに、前記書物等を見開き状態に保持するための押え旋回片は、書物等の左右見開きの中心に対してそれぞれ対称的に配置され、ページめくり操作に同期させて、前記書物等の左右見開きの中心に対しそれぞれ見開き方向に対称的に旋回するように構成することができる。
【００１８】
【発明の実施の形態】
次に、本発明に係る自動ページめくり装置およびこれを使用するベッド用読書スタンド装置の実施例につき、添付図面を参照しながら以下詳細に説明する。
【００１９】
図１は、本発明に係る自動ページめくり装置を使用するベッド用読書スタンド装置の一実施例を示すものである。また、図２ないし図６は、本発明に係る自動ページめくり装置の一実施例をそれぞれ示すものである。そして、図７および図８は、本発明に係る自動ページめくり装置のページめくり動作をそれぞれ示すものである。
【００２０】
そこで、まず図１に示す、本実施例におけるベッド用読書スタンド装置の構成について説明する。図１において、参照符号１０はベッド、２０はこのベッド１０に付設される読書スタンド装置のスタンド部材、３０は前記スタンド部材２０に取付けられる自動ページめくり装置４０を備えた書物等Ｂの載台をそれぞれ示す。なお、自動ページめくり装置４０の詳細な構成については、図２ないし図６に示す。
【００２１】
しかるに、本実施例のベッド用読書スタンド装置において、前記スタンド部材２０は、ベッド１０の一部に結合固定される基台支柱２１に対し、垂直方向に主支柱２２が回転自在に結合されている。この主支柱２２には、その軸方向に沿って送りねじ２３が回転可能に並設され、この送りねじ２３に螺合すると共に前記主支柱２２に摺動自在に挿通配置された水平支持杆２４が設けられる。なお、前記送りねじ２３は、その上下端部をそれぞれ軸受部材２３ａ、２３ｂで保持されると共に、その上端にはギヤ２５を軸支して、このギヤ２５を送りねじ回転駆動機構としての駆動モータ２６の出力軸に結合されたピニオン２６ａと噛合させた構成からなる。これにより、前記送りねじ２３を駆動モータ２６により自動的に回転駆動して、前記水平支持杆２４を上下に移動調整することができる。
【００２２】
また、前記水平支持杆２４の先端部には、載台３０の一側端部の中央に設けた結合支持杆３２と同軸結合する。この場合、前記結合支持杆３２は、その端部にギヤ３３を軸支して、このギヤ３３を載台回転駆動機構としての前記水平支持杆２４に取付けた駆動モータ２８の出力軸に結合されたピニオン２８ａと噛合させて、軸回転可能に構成される。
【００２３】
このように構成した場合、前記載台３０は、前記載台回転駆動機構としての駆動モータ２８により載台３０を上向きの水平状態となるように旋回変位させて、自動ページめくり装置４０を作動させることができる。そして、自動ページめくり装置４０によるページめくり動作が完了した後、前記載台回転駆動機構の駆動モータ２８により載台３０を旋回変位させて、読書可能な傾斜状態とすることができるように構成される。
【００２４】
さらに、本実施例の自動ページめくり装置４０においては、ベッドに寝たままの状態で書物等Ｂを見開き状態にして読書を可能にする場合、読書可能な下向きの任意状態にして、書物等が載台３０から落下しないように保持し得るようにすることが要求される。
【００２５】
そこで、この場合には、前記載台３０の前記結合支持杆と平行する上下対向する両側縁部に、図示するように、複数の押え旋回片３４Ａ、３４Ｂおよび３６Ａ、３６をそれぞれ配設する。すなわち、前記押え旋回片３４Ａ、３４Ｂおよび３６Ａ、３６Ｂは、書物等Ｂを見開き状態にしかつ落下しないように保持するために、書物等Ｂを左右見開きの中心に対してそれぞれ対称的に対向配置する。そして、自動ページめくり装置４０のページめくり操作に同期させて、例えばページめくり操作の開始時には、前記各押え旋回片３４Ａ、３４Ｂおよび３６Ａ、３６Ｂを破線で示す位置にそれぞれ待機させ、次いでページめくり操作の完了時には、それぞれ矢印で示すように、前記書物等Ｂの左右見開きの中心に対し見開き方向に対称的に旋回移動させて元の位置に停止させ、書物等Ｂを落下しないように適正に保持することが可能となる。
【００２６】
次に、図２ないし図６を参照して、本発明の要部である自動ページめくり装置４０の実施例について説明する。
【００２７】
まず、図２ないし図４において、本実施例の自動ページめくり装置４０は、書物等Ｂを見開き状態で載置する載台３０の一側端縁部において、一対のブラケット４１ａ、４１ｂを介して回転軸４２が回転可能に保持される。なお、この回転軸４２の一端は、引張ばね４２ａにより載台３０に対しその回転動作を弾力的に保持するように構成されている。また、この回転軸４２には、ギヤ４３が軸支され、このギヤ４３を前記載台３０の一側端縁部に適宜取付けられた回転駆動機構としての駆動モータ４４の出力軸に結合されたピニオン４４ａと噛合させて、回転可能に構成される。さらに、前記回転軸４２にピニオン４５を軸支し、このピニオン４５にラック杆４６を進退移動および旋回動作可能に噛合する。そして、このラック杆４６は、ラック杆保持部材４７により回転軸４２に旋回可能に保持されている。また、このラック杆４６の先端部において、引張線５１の作用によってめくりローラ５２を変位させ、ページめくり動作を行う紙葉把持機構５０を結合配置する（図４参照）。
【００２８】
一方、前記引張線５１は、引張線巻取機構としての駆動モータ４８によって回転駆動する引張線巻取りプーリ４９で巻き取ることにより、引っ張り操作を行うように構成される。また、前記引張線巻取りプーリ４９およびこの巻取りプーリ４９を回転駆動する駆動モータ４８は、前記回転軸４２の回転駆動機構としての駆動モータ４４と同様に、載台３０の一側端縁部に適宜取付けられる（図２、図３参照）。
【００２９】
図４において、前記紙葉把持機構５０は、逆Ｕ字状に形成したばね部材５４の一端５４ａを前記ラック杆４６の先端部に固定し、前記ばね部材５４の他端５４ｂに前記めくりローラ５２を回転可能に装着し、さらにこのめくりローラ５２を装着したばね部材５４の他端５４ｂに引張線５１の一端を結合し、この引張線５１を前記ばね部材５４の一端５４ａ側を貫通してその外方から引っ張ることにより、前記逆Ｕ字状に形成したばね部材５４を圧縮変形させて、前記めくりローラ５２の当接した書物等の見開きページの一部を、摘むようにして把持するように構成される。
【００３０】
なお、前記逆Ｕ字状に形成したばね部材５４に対するに引張線５１の結合に際しては、図５および図６に示すように、前記ばね部材５４の一端５４ａ側には、引張線５１を貫通させる通孔５５が穿設される。また、前記ばね部材５４の他端５４ｂ側には、引張線５１の端部を適正に固定保持するためのテンションプーリ５６と弾性ストッパーを形成するスプリング５７とを、それぞれ取り付けかつ係合するように構成した保持片５８ａ、５８ｂ、５８ｃを備えた固定保持部材５８を設けて、これを前記ばね部材５４の他端５４ｂ側に形成した取付部５４ｃに取り付ける。そして、前記引張線５１の端部を、前記固定保持部材５８の保持片５８ａに取り付けたテンションプーリ５６を介し、ゴム材等から構成される前記めくりローラ５２に巻き掛け、さらに前記固定保持部材５８の保持片５８ｃに穿設した通孔５９を貫通して、その端部を前記固定保持部材５８の保持片５８ｂに結合固定したスプリング５７の他端に形成したストッパ５７ａに結合する。
【００３１】
一方、前記ラック杆４６と噛合するピニオン４５は、一端を前記回転軸４２に固定した渦巻きばね４５ａを介して前記回転軸４２に回転可能に装着され、前記回転駆動機構としての駆動モータ４４により回転軸４２を回転駆動することにより、前記回転軸４２と共に前記渦巻きばね４５ａを巻取りながら回転する。そして、前記駆動モータ４４の駆動を停止した際に、前記ピニオン４５は前記渦巻きばね４５ａに蓄積された反発弾力により逆回転すると共に、このピニオン４５と噛合するラック杆４６を、元の位置まで復帰操作するように構成される（図４参照）。
【００３２】
なお、前記ラック杆４６が元の位置まで復帰することにより、前記ラック杆４６は、ページめくり操作の終了した書物等を見開き状態に保持することができる。このため、例えば載台３０を読書可能な傾斜状態に旋回変位させる場合には、前述した押え旋回片３４Ａ、３４Ｂおよび３６Ａ、３６Ｂを設けなくても、前記書物等を見開き状態にかつ落下しないように保持することができる。また、載台３０を旋回変位させて、読書可能な下向きの任意状態とするには、前述した押え旋回片３４Ａ、３４Ｂおよび３６Ａ、３６Ｂを設け、これらの押え旋回片３４Ａ、３４Ｂおよび３６Ａ、３６Ｂを、前述したように自動ページめくり装置４０のページめくり操作に同期させて、適宜旋回動作するように構成すれば好適である。
【００３３】
次に、前記構成からなる自動ページめくり装置４０のページめくり動作について、図７および図８を参照して説明する。
【００３４】
図７において、前記構成からなる紙葉把持機構５０によれば、前述したように、固定保持部材５８の保持片５８ａに取り付けたテンションプーリ５６を介し、めくりローラ５２に巻き掛け、さらに前記固定保持部材５８の保持片５８ｃに穿設した通孔５９を貫通して、前記固定保持部材５８の保持片５８ｂに結合固定したスプリング５７の他端に形成したストッパ５７ａに結合した引張線５１を、矢印の方向に引っ張ると、スプリング５７が伸びてそのストッパ５７ａが保持片５８ｃに穿設した通孔５９に係合して、逆Ｕ字状に形成したばね部材５４の他端５４ｂ側がその一端５４ａ側に弾力的に引き寄せられる。この時に、めくりローラ５２の作用によって、書物等Ｂの見開き１頁を図示のように摘み上げて、把持することができる。この場合、前記ばね部材５４のラック杆４６の先端部に固定される一端５４ａ側に、前記めくりローラ５２と対応させて、所要のゴム部材５３を設けることにより、ページめくりに際しての摘み上げとその把持とをより確実に行うことが可能となる。
【００３５】
図８において、前記構成からなる一端に紙葉把持機構５０を設け、他端部側に巻きばね４５ａを介して回転軸に結合されたピニオン４５に噛合するラック杆４６によれば、前記ラック杆４６を書物等Ｂの見開き方向に沿って最大の前進位置Ｐ１　に位置させると共に、書物等Ｂの見開きを行うページ端部に紙葉把持機構５０を位置させ、次いで引張線５１を引っ張り操作することにより、前述したように、紙葉把持機構５０によるページめくり動作が行われる（図７参照）。次いで、回転軸４２を回転駆動させることにより、前記ラック杆４６をページめくり方向に順次後退移動させながら上方に旋回動作が行われ（Ｐ２　〜Ｐ７　）、紙葉把持機構５０に保持されためくりページが適宜自然離脱して、ページめくり動作を完了することができる。
【００３６】
この場合、前記回転軸４２の回転駆動停止に際し、前記渦巻きばね４５ａに蓄積された反発弾力により、前記ピニオン４５が逆回転して、これと噛合するラック杆４６は、前述した後退移動および旋回動作（Ｐ２　〜Ｐ７　）とは反対に、前進移動および旋回動作（Ｐ７　〜Ｐ１　）して、ラック杆４６を元の位置に復帰させることができる。従って、直ちに次のページめくり操作を繰り返し行うことが可能となる（図８参照）。
【００３７】
なお、前述した本実施例における自動ページめくり装置およびベッド用読書スタンド装置の制御操作は、マイクロコンピュータ等を使用して、それぞれ駆動モータ等の制御機器を順次作動させるための所要のシーケンス制御システムを構築することにより、簡単なボタン操作で種々のページめくり操作や、読書可能な載台の旋回操作等を簡単に行うように構成することができる。
【００３８】
以上、本発明の好適な実施例について説明したが、本発明は前記実施例に限定されることなく、例えばベッド用読書スタンド装置を構成する場合、書物等のページめくり方向に合わせて自動ページめくり装置の位置設定をしたり、あるいは一対の自動ページめくり装置を併設して、いずれの方向に対してもページめくり可能に構成し得る等、その他本発明の精神を逸脱しない範囲内において、多くの設計変更が可能である。
【００３９】
【発明の効果】
前述した実施例から明らかな通り、本発明に係る自動ページめくり装置は、書物等を見開き状態で載置する載台と、この載台の一側端縁部において一対のブラケットを介して回転可能に保持される回転軸と、この回転軸に軸結合されたギヤと駆動モータとからなる回転駆動機構と、前記回転軸に軸支したピニオンに噛合して進退移動および旋回動作するラック杆と、前記ラック杆の先端部において引張線の作用によってめくりローラを変位させてページめくり動作を行う紙葉把持機構と、前記引張線を巻き取って引っ張り操作を行う引張線巻取機構とから構成することにより、前記ラック杆を書物等を見開き方向に沿って最大に前進させて、書物等の見開きを行うページ端部に紙葉把持機構を位置させ、次いで引張線巻取機構による引張線の引っ張り操作によって紙葉把持機構によるページめくり動作が行われ、さらに回転軸を回転駆動させて前記ラック杆をページめくり方向に後退移動させながら上方に旋回動作させて、紙葉把持機構に保持されためくりページを自然離脱させることができ、一連のページめくり動作を簡便に行うことができるように構成することができる。
【００４０】
また、本発明に係る自動ページめくり装置を使用するベッド用読書スタンド装置は、自動ページめくり装置を備えた載台の一側端部の中央に結合支持杆を設け、一方床部に対して垂直に起立するように設置した支柱を設けると共に、この支柱に対し上下に移動調整可能に水平支持杆を取付け、この水平支持杆に前記結合支持杆を載台回転駆動機構を介して軸回転可能に結合した構成とすることにより、前記載台回転駆動機構により載台を水平状態に旋回変位させて自動ページめくり装置を作動させた後、前記載台回転駆動機構により載台を傾斜状態に旋回変位させて、ベッドに寝た状態のままでの読書を極めて簡便に行うことができる。
【００４１】
従って、本発明に係る自動ページめくり装置およびこれを使用するベッド用読書スタンド装置は、書類等の見開きページに対し、最初のページの選択保持からめくり返すまでの一連のページめくり動作を、共通の操作部品で迅速かつ確実に達成することができ、しかも構成が簡単にして低コストに製造することができる等、多くの優れた利点が得られる。
【図面の簡単な説明】
【図１】本発明に係る自動ページめくり装置を使用するベッド用読書スタンド装置の一実施例を示す要部説明図である。
【図２】図１に示すベッド用読書スタンド装置における自動ページめくり装置の主要駆動部分の一実施例を示す要部平面図である。
【図３】図２に示す自動ページめくり装置の主要駆動部分の構成例を示す概略斜視図である。
【図４】図２に示す自動ページめくり装置の紙葉把持機構の構成例を示す要部説明図である。
【図５】図４に示す自動ページめくり装置の紙葉把持機構のそれぞれ構成部品の分解斜視図である。
【図６】図５に示す自動ページめくり装置の紙葉把持機構の組立て状態を示す概略斜視図である。
【図７】図４に示す自動ページめくり装置の紙葉把持機構におけるページめくり動作を示す概略説明図である。
【図８】図４に示す自動ページめくり装置の紙葉把持機構の全体的なページめくり動作状態を示す概略説明図である。
【符号の説明】
１０　ベッド
２０　スタンド部材
２１　基台支柱
２２　主支柱
２３　送りねじ
２３ａ、２３ｂ　軸受部材
２４　水平支持杆
２５　ギヤ
２６　駆動モータ（送りねじ回転駆動機構）
２６ａ　ピニオン
２８　駆動モータ（載台回転駆動機構）
２８ａ　ピニオン
３０　載台
３２　結合支持杆
３３　ギヤ
３４Ａ、３４Ｂ　押え旋回片
３６Ａ、３６Ｂ　押え旋回片
４０　自動ページめくり装置
４１ａ、４１ｂ　ブラケット
４２　回転軸
４２ａ　引張ばね
４３　ギヤ
４４　駆動モータ（回転駆動機構）
４４ａ　ピニオン
４５　ピニオン
４５ａ　渦巻きばね
４６　ラック杆
４７　ラック杆保持部材
４８　駆動モータ（引張線巻取機構）
４９　引張線巻取りプーリ
５０　紙葉把持機構
５１　引張線
５２　めくりローラ
５３　ゴム部材
５４　ばね部材
５４ａ　ばね部材の一端
５４ｂ　ばね部材の他端
５４ｃ　取付部
５５　通孔
５６　テンションプーリ
５７　スプリング
５７ａ　ストッパ
５８　固定保持部材
５８ａ、５８ｂ、５８ｃ　保持片
５９　通孔
Ｂ　書物等
【図１】
2004066719.tif 000003
【図２】
2004066719.tif 000004
【図３】
2004066719.tif 000005
【図４】
2004066719.tif 000006
【図５】
2004066719.tif 000007
【図６】
2004066719.tif 000008
【図７】
2004066719.tif 000009
【図８】
2004066719.tif 000010
【手続補正書】
【提出日】平成15年7月24日(2003.7.24)
【手続補正１】
【補正対象書類名】明細書
【補正対象項目名】０００７
【補正方法】変更
【補正の内容】
【０００７】
この場合、前記紙葉把持機構は、逆Ｕ字状に形成したばね部材の一端を前記ラック杆の先端部に固定し、前記ばね部材の他端にめくりローラを回転可能に装着し、さらにこのめくりローラを装着したばね部材の他端に引張線の一端を結合し、この引張線を前記ばね部材の一端を貫通してその外方から引っ張ることにより、前記逆Ｕ字状に形成したばね部材を圧縮変形させて、前記めくりローラの当接した書物等の見開きページの一部を摘むように把持して、円滑な自動ぺージめくり操作を達成できることを突き止めた。
すなわち、このようにして、紙葉の４隅の一端を摘むことにより、紙質に関係なく最もページめくり操作を行い易く、また紙質が薄い程および摘む距離が短い程、それぞれ１ページをめくる操作の確実性が高いことが確認された。


【手続補正２】
【補正対象書類名】明細書
【補正対象項目名】００１１
【補正方法】変更
【補正の内容】
【００１１】
この場合、前記紙葉把持機構は、逆Ｕ字状に形成したばね部材の一端を前記ラック杆の先端部に固定し、前記ばね部材の他端にめくりローラを回転可能に装着し、さらにこのめくりローラを装着したばね部材の他端に引張線の一端を結合し、この引張線を前記ばね部材の一端を貫通してその外方から引っ張ることにより、前記逆Ｕ字状に形成したばね部材を圧縮変形させて、前記めくりローラの当接した書物等の見開きページの一部を摘むようにして把持するように構成することができる。


【手続補正３】
【補正対象書類名】明細書
【補正対象項目名】００３４
【補正方法】変更
【補正の内容】
【００３４】
図７において、前記構成からなる紙葉把持機構５０によれば、前述したように、固定保持部材５８の保持片５８ａに取り付けたテンションプーリ５６を介し、めくりローラ５２に巻き掛け、さらに前記固定保持部材５８の保持片５８ｃに穿設した通孔５９を貫通して、前記固定保持部材５８の保持片５８ｂに結合固定したスプリング５７の他端に形成したストッパ５７ａに結合した引張線５１を、矢印の方向に引っ張ると、スプリング５７が伸びてそのストッパ５７ａが保持片５８ｃに穿設した通孔５９に係合して、逆Ｕ字状に形成したばね部材５４の他端５４ｂ側がその一端５４ａ側に弾力的に引き寄せられる。この時に、めくりローラ５２の作用によって、書物等Ｂの見開き１頁を図示のように摘み上げて、把持することができる。この場合、前記ばね部材５４のラック杆４６の先端部に固定される一端５４ａ側に、前記めくりローラ５２と対応させて、所要のゴム部材５３を設けることにより、ページめくりに際しての摘み上げとその把持とをより確実に行うことが可能となる。従って、例えば、紙葉の４隅の一端を摘めば、紙質に関係なく最もページめくり操作を行い易くなり、また紙質が薄い程および摘む距離が短い程、それぞれ１ページをめくる操作の確実性を高めることができる。


【手続補正４】
【補正対象書類名】明細書
【補正対象項目名】００３８
【補正方法】変更
【補正の内容】
【００３８】
以上、本発明の好適な実施例について説明したが、本発明は前記実施例に限定されることなく、例えばベッド用読書スタンド装置を構成する場合、書物等のページめくり方向に合わせて自動ページめくり装置の位置設定をしたり、あるいは一対の自動ページめくり装置を書物等を見開き状態で載置する載台の左右両側にそれぞれ併設して、いずれの方向に対してもページめくり可能に構成し得る等、その他本発明の精神を逸脱しない範囲内において、多くの設計変更が可能である。